(57)【要約】【課題】導光設備が結合される浴室ユニットであって、天井及び浴室ユニット内の低い位置の双方で放光することができる浴室ユニットを提供する。【解決手段】屋外から光を導入する光ダクトが結合される浴室ユニット１において、天井４に、光ダクト１０２に光学的に結合された放光口を設け、この放光口に透光板２０をはめ込む。また、浴室ユニット１の内部に、上端が放光口６の一部に光学的に結合され、内部が中空であり、内面が光反射面とされたミニタワー７を設ける。ミニタワー７の形状は略垂直方向に延びる筒状とし、側面及び下面にそれぞれ側面放光口８及び下端放光口９を設ける。これにより、透光板２０から放光された光の一部を直接浴室ユニット１内に放光し、残部を側面放光口８及び下端放光口９から放光する。【選択図】図２
2008082085.tif 000002
【特許請求の範囲】
【請求項１】
屋外から光を導入する導光設備が結合される浴室ユニットであって、
前記導光設備が光学的に結合される第１の放光口と、
前記浴室ユニットの内部に配置され、一端が前記第１の放光口の一部に光学的に結合され、内部が中空であり、内面が光反射面とされた内部ダクトと、
前記内部ダクトに設けられ、前記第１の放光口を介して導入された光を前記浴室ユニット内に放光する第２の放光口と、
を備えたことを特徴とする浴室ユニット。
【請求項２】
前記内部ダクトの形状は、略垂直方向に延びる筒状であり、前記第２の放光口は前記内部ダクトの下端部に形成されていることを特徴とする請求項１記載の浴室ユニット。
【請求項３】
前記第２の放光口は、前記内部ダクトの下端面が開口されて形成されていることを特徴とする請求項２記載の浴室ユニット。
【請求項４】
前記内部ダクトは前記浴室ユニットの側壁に沿って配置されており、前記内部ダクトの下端における前記浴室ユニットの側壁側の側面は、その反対側の側面よりも下方まで延出していることを特徴とする請求項３記載の浴室ユニット。
【請求項５】
前記第２の放光口は、前記内部ダクトの側面に形成されていることを特徴とする請求項２記載の浴室ユニット。
【請求項６】
前記内部ダクトにおける前記第２の放光口よりも上方の部分の側面には、前記第１の放光口を介して導入された光を放光する第３の放光口が形成されていることを特徴とする請求項１〜５のいずれか１つに記載の浴室ユニット。
【請求項７】
前記内部ダクトは、
前記内部ダクト内における少なくとも一部の空間を前記導光設備から気密的に分離する透光板と、
前記内部ダクトにおける前記透光板から見て前記導光設備の反対側の部分に設けられた換気孔と、
前記反対側の部分に形成され、開いたときに前記内部ダクトの内部を外部に連通させる扉と、
前記反対側の部分の内部に設けられた小物保持手段と、
前記反対側の部分における前記小物保持手段よりも下方に設けられた排水手段と、
を有することを特徴とする請求項１〜６のいずれか１つに記載の浴室ユニット。
【発明の詳細な説明】
【技術分野】
【０００１】
本発明は、浴室ユニットに関し、特に、屋外から光を導入する導光設備が結合される浴室ユニットに関する。
【背景技術】
【０００２】
近年、住宅等の建築物に光ダクトを設ける技術が開発されている。光ダクトとは、建築物の屋外から屋内まで連通し、その内面が光反射面となった筒状の部材であり、屋外の自然光を屋内に導入するものである。建築物にこのような光ダクトを設けることにより、日中の豊富な自然光を室内の照明に利用することができるため、照明コストを節約し、省エネルギー効果及び環境負荷軽減効果を得ることができる。また、室内に自然光を導入することにより、室内の居住性を向上させることができる。
【０００３】
特許文献１には、浴室ユニットに連通された排気ダクトの内部に光ダクトを設けることにより、浴室ユニットに光ダクトを結合する技術が開示されている。この技術においては、排気ダクトの内部に光ダクトを収納しているため、光ダクトにより導入された外光を浴室ユニット内に放光する放光口は、浴室ユニット内の空気を排気ダクトに導入する排気口の内部に設けられるか、又は排気口に隣接して設けられる。通常、排気口は浴室ユニットの天井における浴槽側の領域に設けられているため、光ダクトの放光口も、天井における浴槽側の領域に設けられることになる。
【０００４】
一方、浴室ユニット内は湿度が高く、カビが発生しやすいという問題がある。特に、浴室ユニットの床面は、水がかかりやすくカビが発生しやすい。また、入浴者が洗い場に座って身体などを洗う際に、手元が照明されると便利である。これらの問題を解決するために、光ダクトにより導入された光を、浴室ユニットの天井だけでなく、浴室ユニット内の低い位置でも放光できることが好ましい。
【０００５】
【特許文献１】実開昭６０−０３３２４０号公報
【発明の開示】
【発明が解決しようとする課題】
【０００６】
本発明の目的は、導光設備が結合される浴室ユニットであって、天井及び浴室ユニット内の低い位置の双方で放光することができる浴室ユニットを提供することである。
【課題を解決するための手段】
【０００７】
本発明の一態様によれば、屋外から光を導入する導光設備が結合される浴室ユニットであって、前記導光設備が光学的に結合される第１の放光口と、前記浴室ユニットの内部に配置され、一端が前記第１の放光口の一部に光学的に結合され、内部が中空であり、内面が光反射面とされた内部ダクトと、前記内部ダクトに設けられ、前記第１の放光口を介して導入された光を前記浴室ユニット内に放光する第２の放光口と、を備えたことを特徴とする浴室ユニットが提供される。
【発明の効果】
【０００８】
本発明によれば、導光設備が結合され、天井及び浴室ユニット内の低い位置の双方で放光可能な浴室ユニットを実現することができる。
【発明を実施するための最良の形態】
【０００９】
以下、図面を参照しつつ本発明の実施形態について説明する。  
先ず、本発明の第１の実施形態について説明する。  
図１は、本実施形態に係る浴室ユニットが設けられた建築物を例示する模式的断面図であり、  
図２は、この浴室ユニットを例示する斜視図であり、  
図３は、この浴室ユニットを例示する上面図であり、  
図４は、この浴室ユニットを例示する断面図である。
【００１０】
図１に示すように、本実施形態に係る浴室ユニット１は、建築物、例えば住宅１０１に設置されている。住宅１０１においては、導光設備としての光ダクト１０２が配設されている。光ダクト１０２は、住宅１０１の建築工事により配設されたものである。光ダクト１０２の一方の端部は、例えば住宅１０１の屋根に設けられた採光部１０３に結合されており、他方の端部は、浴室ユニット１の天井４に結合されている。採光部１０３は、透明板からなるドームによって覆われており、砂や埃は通過させないが光は透過させる。光ダクト１０２の内部は中空であり、その内面は光反射面となっており、例えば、鏡面又は白色面となっている。これにより、光ダクト１０２は、住宅１０１の外部から採光部１０３を介して導入された外光Ｌを、その内面において反射しつつ導光して、浴室ユニット１の内部に導入する。
【００１１】
図２に示すように、浴室ユニット１においては、床の一方の側に浴槽２が設けられており、他方の側が洗い場３となっている。また、浴室ユニット１の天井４における洗い場３側の領域には、光ダクト１０２に光学的に結合された放光口６が設けられている。そして、浴室ユニット１内には、内部ダクトとしてのミニタワー７が設けられている。ミニタワー７の形状は、例えば、略垂直方向に延びる四角筒状である。ミニタワー７は、浴室ユニット１の側壁に沿って配置されており、その上端は放光口６の一部に連結されており、その下端は洗い場３の床面５には接しておらず、床面５から例えば数十センチメートル離隔している。
【００１２】
図３に示すように、ミニタワー７の上端面の面積は、放光口６の面積よりも小さく、ミニタワー７は放光口６の一部の領域のみに結合されている。従って、放光口６におけるミニタワー７に結合されていない領域は、浴室ユニット１の内部に直接露出している。一例では、光ダクト１０２の下端部の軸直交断面のサイズ、すなわち、放光口６のサイズは、縦及び横がそれぞれ２５０乃至４５０ミリメートル（ｍｍ）である。一方、ミニタワー７の軸直交断面のサイズ、すなわち、上端面のサイズは、縦及び横がそれぞれ２００ミリメートルである。なお、図３においては、サイズの比較を容易にするために、浴室ユニット１、放光口６及びミニタワー７の外縁のみを図示している。
【００１３】
なお、浴室ユニット１の天井４には、放光口６の他に、例えば、点検口（図示せず）及び排気口（図示せず）が設けられている。また、例えば、浴室ユニット１の側壁１４のうち、浴槽２の足側に位置する面における洗い場３側の領域には、入浴者のほぼ全身が映せるような大型の鏡１５が取り付けられている。更に、鏡１５の向かって左側の側方にはシャワー１７が取り付けられており、鏡１５の下方にはカウンター１８が設けられている。そして、ミニタワー７は、例えば、鏡１５の向かって右側の側方、すなわち、鏡１５が取り付けられている側壁と浴槽２に対向する側壁とがなす角部に配置されており、これらの２つの側壁に接している。
【００１４】
図４に示すように、ミニタワー７の内部は中空であり、その内面は光反射面とされている。光反射面とは、例えば、鏡面又は白色面であり、例えば、アルミニウム若しくはステンレスなどの金属面、又はこれらの金属面の表面に酸化アルミニウム若しくは樹脂などの被覆層が積層された面により構成されている。
【００１５】
放光口６には、透光板２０が気密的にはめ込まれている。また、ミニタワー７の上端面には、透光板２１が気密的にはめ込まれている。そして、ミニタワー７の上端部は放光口６の一部に連結されており、ミニタワー７の上端面にはめ込まれた透光板２１は、放光口６にはめ込まれた透光板２０の一部の領域に当接している。これにより、ミニタワー７は放光口６の一部に光学的に結合され、従って、光ダクト１０２に光学的に結合されている。なお、ミニタワー７の上端部と放光口６との間には、隙間が設けられていてもよい。この場合でも、ミニタワー７は、放光口６の一部に光学的に結合される。
【００１６】
また、ミニタワー７には、側面放光口８が設けられている。側面放光口８は、ミニタワー７の洗い場３に面した側面７ａにおける垂直方向中間部に配置されており、例えば、入浴者（図示せず）が洗い場３に座ったときに、手元の近くとなる高さに配置されている。側面放光口８は、光ダクト１０２からミニタワー７内に導入された光の一部を浴室ユニット１内に放光するための開口部であり、透光板２３が水密的にはめ込まれている。
【００１７】
更に、図２及び図４に示すように、ミニタワー７の下端面は、垂直方向及び水平方向の双方に対して傾斜しており、斜めに切断されたような面となっている。これにより、ミニタワー７の側面のうち、浴室ユニット１の側壁に沿った側面７ｂ、すなわち、鏡１５が取り付けられている側壁１４側の側面は、その反対側の側面、すなわち、洗い場３側の側面７ａよりも下方まで延出している。そして、ミニタワー７の下端面は開口しており、下端放光口９となっている。下端放光口９は、光ダクト１０２からミニタワー７内に導入された光のうち、側面放光口８から放光されなかった光を放光する。下端放光口９には、透光板２４が水密的にはめ込まれている。
【００１８】
上述の透光板２０、２１、２３及び２４は、光の少なくとも一部を透過させる板状部材であり、光を直進的に透過させる透明な樹脂、又は光を拡散させながら透過させる乳白色の樹脂により形成されている。
【００１９】
次に、本実施形態に係る浴室ユニットの動作について説明する。  
図１に示すように、住宅１０１の外部から外光Ｌ、例えば太陽光が、採光部１０３を介して光ダクト１０２の内部に導入される。この外光Ｌは、光ダクト１０２の内面によって繰り返し反射されながら光ダクト１０２内を伝達し、浴室ユニット１の放光口６に到達する。放光口６に到達した外光Ｌは、透光板２０を通過し、一部は透光板２１を介して、ミニタワー７の内部に導入され、残部は浴室ユニット１内に放光される。
【００２０】
ミニタワー７内に導入された外光Ｌは、ミニタワー７の内面により反射されながら下方に向けて伝達し、一部が側面放光口８を介して浴室ユニット１内に向けて放光される。また、外光Ｌの残部は、ミニタワー７内を更に下方に向けて伝達し、下端放光口９を介して放光される。下端放光口９から放光された外光Ｌは、洗い場３の床面５に対して照射される。
【００２１】
次に、本実施形態の効果について説明する。  
本実施形態においては、光ダクト１０２により導入され、放光口６に到達した外光の一部が、ミニタワー７により下方に伝達され、側面放光口８及び下端放光口９まで導光される。この結果、側面放光口８により、外光を洗い場３に座っている入浴者の手元の近くで放光することができ、入浴者の手元を効率よく照明することができる。また、下端放光口９により、外光を床面５の近くで放光することができ、これにより、外光に含まれる赤外線成分が床面５を効率よく加熱して乾燥させ、床面５においてカビの発生を防止することができると共に、外光に含まれる紫外線成分によっても、カビの発生を防止することができる。一方、放光口６に到達した外光の残部は、浴室ユニット１内に直接放光され、浴室ユニット１の内部を全体的に照明する。
【００２２】
これにより、浴室ユニット１においては、天井４に形成された放光口６、ミニタワー７の垂直方向中間部に形成された側面放光口８、及びミニタワー７の下端部に形成された下端放光口９の３ヶ所から同時に外光を放光させることができる。すなわち、天井４及び浴室ユニット１内の低い位置の双方で放光させることができる。このように、本実施形態によれば、放光口６からの放光により、浴室全体を照明しつつ、側面放光口８からの放光により入浴者の手元を集中的に照明し、且つ、下端放光口９からの放光により床面５を乾燥させることができる。また、このように３ヶ所から同時に放光することにより、演出効果を得ることができる。
【００２３】
また、本実施形態においては、ミニタワー７の側面のうち、側壁１４側の側面７ｂは、洗い場３側の側面７ａよりも下方まで延出している。これにより、下端放光口９を介して、外光を洗い場３の中央部に向けて効率よく放光することができる。
【００２４】
更に、外光を浴室ユニット内の低い位置で放光するためには、光ダクトを浴室ユニットの側方まで延ばし、その先端部を浴室ユニットの側壁に設けた放光口に結合させ、この放光口から外光を放光させることも考えられる。しかしながら、この場合は、浴室ユニットの側壁と建築物の壁との間に、光ダクトを配置するための大きな隙間を確保しなくてはならず、その分、浴室ユニットが狭くなってしまうという問題点がある。また、光ダクトを特別に設計しなくてはならないが、光ダクトは建築物の建造時に配設されるため、建築物の建造後に光ダクトを改造することが難しいという問題点がある。これに対して、本実施形態によれば、ミニタワー７を浴室ユニット１の内部に設けているため、浴室ユニット１の外部に設ける場合と比較して、浴室ユニット１の側壁と住宅１０１の壁との間の隙間を狭くすることができる。これにより、浴室ユニット１を可及的に広くすることができる。また、光ダクトの改造が不要であり、光ダクトが浴室ユニットの天井裏まで配設されていれば、これに放光口を結合することができる。
【００２５】
更にまた、入浴者の手元及び床面などの低い位置を照明するためには、電球又は蛍光灯などの人工照明を浴室ユニット内の低い位置に配置することも考えられる。しかしながら、このような低い位置には不可避的に水がかかるため、人工照明を配置する場合は漏電及び感電に対する厳重な対策が必要となる。これに対して、本実施形態においては、外光を利用して照明することができるため、漏電及び感電に対する対策が不要であり、設備コストが低い。
【００２６】
更にまた、本実施形態においては、ミニタワー７の上端部に透光板２１を設け、側面放光口８に透光板２３を設け、下端放光口９に透光板２４を設けているため、浴室ユニット１内の水分及び蒸気が、ミニタワー７の内部に侵入することを防止できる。また、放光口６に透光板２０を設けているため、浴室ユニット１内の水分及び蒸気が、光ダクト１０２の内部及び浴室ユニット１の天井裏に漏洩することを防止できる。
【００２７】
なお、本実施形態においては、側面放光口８は設けなくてもよい。また、逆に、側面放光口８を複数ヶ所設けてもよい。更に、側面放光口８の形状を、ミニタワー７の全長にわたって垂直方向に延びるスリット状としてもよい。更にまた、側面放光口８及び下端放光口９に開閉可能なシャッターを取り付けて、放光位置を選択できるようにしてもよい。この場合、シャッターの裏面を光反射面とすれば、シャッターを閉めても光の利用効率が大きく低下することがない。
【００２８】
また、本実施形態においては、ミニタワーの形状が断面形状が正方形の四角筒形である例を示したが、本発明はこれに限定されず、任意の形状とすることができる。例えば、ミニタワーの形状を浴室ユニットの壁面に沿った平板状の形状としてもよい。この場合、一例では、幅を３００ミリメートルとし、厚さを５ミリメートルとしてもよい。また、ミニタワーの形状を浴室ユニットの１つの壁面全体を覆うような形状とし、壁面全体を発光させてもよい。
【００２９】
次に、本発明の第２の実施形態について説明する。  
図５は、本実施形態に係る浴室ユニットのミニタワーを例示する斜視図であり、  
図６は、本実施形態におけるミニタワーのスリットを例示する断面図である。  
本実施形態は、ミニタワー７の下部に、乾燥室が設けられた例である。
【００３０】
図５に示すように、本実施形態においては、ミニタワー７の内部に、透光板３１が例えば略水平に設けられている。透光板３１の外周部、すなわち、透光板３１の四辺とミニタワー７の内面との間には、ゴム製のパッキン３２が設けられている。これにより、透光板３１は、ミニタワー７の内部を、上部７ｃと下部７ｄとに気密的に区画している。
【００３１】
ミニタワー７の下部７ｄにおいて、洗い場３側の側面７ａには、換気孔領域３３が設けられている。換気孔領域３３の上下端には、１対のスライドガイド３４が水平方向に延びるように敷設されており、この１対のスライドガイド３４間に、引き戸３５が設けられている。引き戸３５は、側面７ａに対して平行に配置され、換気孔領域３３の一部を覆うものであり、スライドガイド３４に案内されて、水平方向に移動可能とされている。引き戸３５の外面には、つまみ３６が設けられている。また、スライドガイド３４間の領域における例えば向かって左側半分の領域には、水平方向に延びる例えば２本のスリット３７が設けられている。
【００３２】
図６に示すように、各スリット３７はガラリ状になっている。すなわち、側面７ａに水平方向に延びる開口部３７ａが形成されており、開口部３７ａの外方には傾斜板３７ｂが設けられている。傾斜板３７ｂの上端は開口部３７ａの上方にて側面７ａに連結されており、傾斜板３７ｂの下端は、側面７ａから離隔している。これにより、傾斜板３７ｂの下端と側面７ａとの間には、下方に向いた隙間３７ｃが形成されている。そして、図５に示すように、引き戸３５が、その可動域の向かって左側の端部に位置しているときはスリット３７を覆い、向かって右側の端部に位置しているときはスリット３７を露出させる。すなわち、引き戸３５により、換気孔としてのスリット３７は開閉自在とされている。
【００３３】
また、ミニタワー７の側面７ａにおける換気孔領域３３の下方には、扉３８が開閉自在に設けられている。扉３８の幅は例えば側面７ａの幅とほぼ等しく、扉３８の高さは幅よりもやや大きい。扉３８は、例えば外開きの開き戸であり、ミニタワー７の外側から見て向かって右側の端縁がミニタワー７に対して回動可能に支持されており、向かって左側の端部に取っ手３９が取り付けられている。そして、扉３８を開くと、ミニタワー７の内部が外部と連通し、ミニタワー７の内部に対して、小物類（図示せず）を出し入れ可能となる。なお、小物類とは、例えば、浴室清掃用具、浴槽清掃用具、石けん及びタオルなどの常設物、並びに、洗った靴などの被乾燥物である。
【００３４】
ミニタワー７の内部における扉３８と同じ高さの領域の上部には、水平に張架されたバー４０が設けられている。バー４０は、直接、又はＳ字管４１を介して、小物類を吊り下げるものである。また、扉３８と同じ高さの領域の下方には、ミニタワー７の水平断面の全領域にわたって、棚板４２が設けられている。棚板４２は、例えば、金網又はパンチングメタルなどの剛性と通水性及び通気性とを兼ね備えた板状部材で構成されており、小物類を保持すると共に、小物類から滴り落ちた水滴を下方に通過させる。すなわち、バー４０及び棚板４２は、小物保持手段である。そして、ミニタワー７の下部７ｄにおける透光板３１と棚板４２との間の領域が、乾燥室４３となっている。また、ミニタワー７の下端面にはめ込まれた透光板２４には、排水手段としてのスリット４４が形成されている。本実施形態における上記以外の構成は、前述の第１の実施形態と同様である。
【００３５】
次に、本実施形態に係る浴室ユニットの動作について説明する。  
先ず、ミニタワー７に形成された扉３８を開き、濡れた小物類をバー４０に吊り下げるか、棚板４２上に載置して、乾燥室４３内に収納する。これにより、小物類から滴り落ちた水滴が、棚板４２を通過して、透光板２４に到達し、スリット４４を介してミニタワー７の外部に排出される。このとき、引き戸３５をスライドさせ、スリット３７を露出させることにより、スリット３７を換気孔として機能させる。これにより、小物類を乾燥させる。
【００３６】
一方、前述の第１の実施形態と同様な動作により、光ダクト１０２を介して放光口６に到達した外光の一部は、ミニタワー７内に導入される。そして、ミニタワー７内に導入された外光は、ミニタワー７の内面により反射されながら下方に向けて伝達し、一部が側面放光口８を介して浴室ユニット１内に向けて放光される。また、外光Ｌの残部は、ミニタワー７内を更に下方に向けて伝達し、乾燥室４３を通過し、下端放光口９を介して放光される。この過程で、乾燥室４３を通過する外光が小物類にも照射され、小物類の乾燥を促進する。
【００３７】
また、入浴する際には、扉３８を閉じると共に、引き戸３５を移動させて、スリット３７も閉じる。これにより、シャワーから吐出された水などがミニタワー７にかかっても、この水が乾燥室４３内に侵入して小物類を濡らすことを防止できる。これにより、入浴中も小物類を連続して乾燥させることができる。本実施形態における上記以外の動作は、前述の第１の実施形態と同様である。
【００３８】
次に、本実施形態の効果について説明する。  
本実施形態においては、ミニタワー７の内部に設けられた乾燥室４３において、小物類を干すことができる。このとき、扉３８及び引き戸３５を閉じることにより、浴室ユニット１において入浴を行っても小物類に水がかかることがなく、入浴によって乾燥が中断されることがない。このため、小物類を連続して乾燥させることができる。
【００３９】
また、小物類には、光ダクト１０２及びミニタワー７を介して導入された外光が照射させるため、効率的に乾燥させることができる。また、引き戸３５を開けておけば、スリット３７により乾燥室４３内を換気することができるため、より効果的に小物類を乾燥させることができる。なお、スリット３７はガラリ状に形成されているため、仮に、引き戸３５が開いているときにシャワーから吐出された水がスリット３７にかかっても、この水がミニタワー７内に侵入することがない。更に、ミニタワー７の下端面には、スリット４４が形成されているため、小物類から落下した水滴をミニタワー７の外部に排出することができる。更にまた、スリット３７とスリット４４とが乾燥室４３を挟む位置に離隔して配置されているため、スリット３７とスリット４４との間で空気を流通させ、効率的に換気することができる。
【００４０】
更に、ミニタワー７の内部は、透光板３１により上部７ｃと下部７ｄとに気密的に分離されているため、下部７ｄ内で小物類から蒸発した水蒸気が、上部７ｃ内及び光ダクト１０２内に侵入することがない。これにより、上部７ｃ及び光ダクト１０２の内部を常に乾燥した状態に保つことができ、上部７ｃ内及び光ダクト１０２内で結露が発生することがない。このため、光の反射効率が低下することがないと共に、腐食が進行することがない。一方で、透光板２１及び３１は光を透過させるため、下部７ｄ内に外光を導入することができる。本実施形態における上記以外の効果は、前述の第１の実施形態と同様である。
【００４１】
なお、本実施形態においては、ミニタワー７の下端面に透光板２４を設けず、下端面全体を開口させてもよい。これにより、浴室ユニット１内の湿度が乾燥室４３内の湿度よりも高いときには、浴室ユニット１内の水蒸気が乾燥室４３内に侵入しやすくなるものの、浴室ユニット１内の湿度が乾燥室４３内の湿度よりも低いときには、乾燥室４３内をより速やかに乾燥させることができる。また、小物類から落下した水滴をより速やかにミニタワー７の外部に排出することができる。
【００４２】
また、ミニタワー７の下端面に、水受けトレイを設けてもよい。この水受けトレイは、ミニタワー７に対して着脱自在としておき、使用者が適宜排水してもよい。又は、ドレン管を介して浴室排水部に接続しておき、常時排水されるようにしてもよい。これにより、ミニタワー７からの排水により、床面５が濡れることを防止できる。
【００４３】
以上、実施形態を参照しつつ、本発明の特徴を説明した。しかし、本発明はこれらの実施形態に限定されるものではなく、前述の各実施形態に係る浴室ユニットを構成する要素について、当業者が適宜追加、省略又は設計変更を加えたものであっても、本発明の要旨を備えたものであれば、本発明の範囲に包含される。
【００４４】
例えば、ミニタワーの内部に、白熱灯、蛍光灯及びＬＥＤ（Light Emitting Diode：発光ダイオード）などの人工照明を設けてもよい。これにより、外光が不足するときに、人工照明を使用することができる。この場合においても、人工照明はミニタワーの内部に配置されているため、水がかかることがなく、漏電及び感電に対する過剰な対策が不要となる。また、前述の第２の実施形態においてミニタワー内に人工照明を設ける場合は、上部７ｃに設けることが好ましい。これにより、人工照明が水に触れることを確実に防止することができる。
【００４５】
また、光ダクトが結合される放光口６は、浴室ユニットの天井ではなく、浴室ユニットの側壁の上部に設けられていてもよい。更にまた、前述の各実施形態においては、屋外から浴室ユニット内に外光を導入する導光設備が光ダクトである例を示したが、本発明はこれに限定されず、導光設備は例えば光ファイバであってもよい。
【図面の簡単な説明】
【００４６】
【図１】本発明の第１の実施形態に係る浴室ユニットが設けられた建築物を例示する模式的断面図である。
【図２】第１の実施形態に係る浴室ユニットを例示する斜視図である。
【図３】第１の実施形態に係る浴室ユニットを例示する上面図である。
【図４】第１の実施形態に係る浴室ユニットを例示する断面図である。
【図５】本発明の第２の実施形態に係る浴室ユニットのミニタワーを例示する斜視図である。
【図６】本発明の第２の実施形態におけるミニタワーのスリットを例示する断面図である。
【符号の説明】
【００４７】
１  浴室ユニット、２  浴槽、３  洗い場、４  天井、５  床面、６  放光口、７  ミニタワー、７ａ、７ｂ  側面、７ｃ  上部、７ｄ  下部、８  側面放光口、９  下端放光口、１４  側壁、１５  鏡、１７  シャワー、１８  カウンター、２０、２１、２３、２４  透光板、３１  透光板、３２  パッキン、３３  換気孔領域、３４  スライドガイド、３５  引き戸、３６  つまみ、３７  スリット、３７ａ  開口部、３７ｂ  傾斜板、３７ｃ  隙間、３８  扉、３９  取っ手、４０  バー、４１  Ｓ字管、４２  棚板、４３  乾燥室、４４  スリット、１０１  住宅、１０２  光ダクト、１０３  採光部、Ｌ  外光
【図１】
2008082085.tif 000003
【図２】
2008082085.tif 000004
【図３】
2008082085.tif 000005
【図４】
2008082085.tif 000006
【図５】
2008082085.tif 000007
【図６】
2008082085.tif 000008